(57)【要約】毛髪処置装置は、ユーザの手の第一指上で支持され、それをもって単独に可動であるよう構成される第１のパッド（１００）と、ユーザの手の第二指上で支持され、それをもって単独に可動であるよう構成される第２のパッド（１００）とを有する。
2008504853.tif 000002
【特許請求の範囲】
【請求項１】
毛髪処置装置であって：
ユーザの手の第一指上で支持され、それをもって単独に可動であるよう構成される第１のパッドと；
前記ユーザの手の第二指上で支持され、それをもって単独に可動であるよう構成される第２のパッドと、
を有する、
毛髪処置装置。
【請求項２】
可撓性のリード線を介して前記第１及び第２のパッドの各々と動作可能なように接続され、且つ、前記第１及び第２のパッドにおいて加熱素子に対して電流を選択的に供給するよう構成される筐体を更に有する、
請求項１記載の毛髪処置装置。
【請求項３】
前記手の前記第一指及び第二指は、親指及び人差し指である、
請求項１記載の毛髪処置装置。
【請求項４】
前記筐体は、前記ユーザの手のひらにおいて支持されるよう構成される、
請求項２記載の毛髪処置装置。
【請求項５】
前記筐体は、ポッド型の筐体である、
請求項４記載の毛髪処置装置。
【請求項６】
前記第１及び第２のパッドは、リング部材を更に有し、
前記リング部材を介して、前記第一指及び第二指が挿入され得る、
請求項１記載の毛髪処置装置。
【請求項７】
前記リング部材は、接続装置によって前記第１及び第２のパッドに対して着脱可能に接続される、
請求項６記載の毛髪処置装置。
【請求項８】
前記筐体は、自給式のＥＭＦ（起電力）の源を有する、
請求項２記載の毛髪処置装置。
【請求項９】
前記筐体は、バッテリを有する、
請求項２記載の毛髪処置装置。
【請求項１０】
前記筐体は、前記筐体上に与えられるボタンによって作動されるよう構成されるスイッチを備えられる、
請求項４記載の毛髪処置装置。
【請求項１１】
前記第１及び第２のパッドは、前記筐体から夫々延在する可撓性のリード線によってのみ互いに対して接続される、
請求項２記載の毛髪処置装置。
【請求項１２】
毛髪処置装置であって：
手の指上で支持されるよう各々構成される別個の指支持パッドと；
前記パッドの少なくとも一方において配置され、且つ、前記パッドが共に押されて、選択された毛髪の束にわたって滑らされる際に熱を加えるよう構成される加熱素子と、
を有する、
毛髪処置装置。
【請求項１３】
前記パッドは、前記指を受けるよう構成されるリング型部材を有する、
請求項１２記載の毛髪処置装置。
【請求項１４】
前記リング型部材は、接続装置によって前記パッドに対して着脱可能に接続され、また、前記リング型部材が前記指上に配置され得、その後前記指に対する前記パッドの所望の配置／向きを可能にするよう前記パッドと接続され得るよう構成される、
請求項１３記載の毛髪処置装置。
【請求項１５】
前記接続装置は、かぎフック接続装置を有し、
前記かぎフック装置の第１の半分は、リングに対して留められ、前記かぎフック装置の第２の半分は、パッドに対して留められる、
請求項１４記載の毛髪処置装置。
【請求項１６】
前記手のひらに適合するよう、また、前記リングのうち少なくとも一方及び前記手の小指によって掴まれるよう構成される筐体、を更に有する、
請求項１２記載の毛髪処置装置。
【請求項１７】
前記筐体は、少なくとも１つの可撓性のケーブルを介して前記少なくとも１つの加熱素子と動作可能なように接続され、更には前記少なくとも１つの加熱素子に対して電流を供給するよう構成される、
請求項１６記載の毛髪処置装置。
【請求項１８】
前記筐体は、前記加熱素子に対する電流の供給を制御するよう、また、前記筐体上のボタンによって作動されるよう構成されるスイッチを有する、
請求項１７記載の毛髪処置装置。
【請求項１９】
毛髪を処置する方法であって：
第一指及び第二指上で、前記第１及び第２のパッドが前記第一指及び第二指を有して夫々可動であるよう、少なくとも一方が配置された加熱素子を有するところの別個のパッドを支持する段階と；
前記第１のパッドと第２のパッドとの間で毛髪を掴み、前記毛髪に沿って前記第１及び第２のパッドを摺動させる際に、前記少なくとも１つの加熱素子に対して電流を選択的に供給する段階と、
を有する、
方法。
【請求項２０】
前記手の前記ひらにおいて、手首上で、あるいは前記手の甲上で、少なくとも１つの可撓性のリード線を介して前記少なくとも１つの加熱素子に対して前記電流を供給するよう構成される筐体を支持する段階、
を更に有する、
請求項１９記載の方法。
【発明の詳細な説明】
【技術分野】
【０００１】
本発明は、毛髪処置装置に係り、より具体的には携帯性の高い、指で操作可能である毛髪処置装置に係る。
【背景技術】
【０００２】
多種の携帯用毛髪処置装置が提案されてきている。しかしながら、これらの装置は、手動のはさみ、トング、又はクランプ装置を不可避的に有する。かかる装置は、加熱パッド又は同様のものをスタイリングされているあるいは整えられている毛髪と接触させ得、その後、加熱パッド又は素子が所望の効果をもたらすように毛髪にわたって摺動される際に毛髪との接触を保持させ得る。
【０００３】
しかしながら、これらの手動で操作可能である装置は、装置の寸法、かさ、及び重量を増大させ、従って携帯性が低減される。加えて、かかる装置は、最適な操作性に欠ける。
【発明の開示】
【発明が解決しようとする課題】
【０００４】
本発明は、非常に巧妙である毛髪の加熱処置を可能とする非常に携帯性の高い装置を与える、ことを目的とする。
【課題を解決するための手段】
【０００５】
より具体的には、本発明の第１の態様は、ユーザの手の第一指上で支持され、それをもって単独に可動であるよう構成される第１のパッドと、ユーザの手の第二指上で支持され、それをもって単独に可動であるよう構成される第２のパッドとを有する、毛髪処置装置に属する。この別個の指上での別個の配置は、パッドの非常に巧妙な操作を可能にする。
【０００６】
この態様は、筐体を更に有し、該筐体は、可撓性のリード線を介して第１及び第２のパッドの各々と動作可能なように接続され、且つ、第１及び第２のパッドにおいて加熱素子に対して電流を選択的に供給するよう構成される。一例として、第一指及び第二指は、親指及び人差し指である。
【０００７】
該装置の有用性を向上させるよう、筐体は、ユーザの手のひらにおいて支持される構成される。本発明の少なくとも１つの実施例において、筐体は、ポッド型の筐体である。筐体は、支持ストラップを使用して手首又は手の甲上で支持され得る。
【０００８】
第１及び第２のパッドは、リング部材を更に有し、該リング部材を介して第一指及び第二指が挿入され得る。本発明の少なくとも１つの実施例において、リング部材は第１及び第２のパッドに対して着脱可能に接続される。
【０００９】
筐体は、自給式のＥＭＦ（起電力）の源を有する。これは、例えば２つの市販の単３電池であるバッテリであり得る。自給式ＥＭＧ源からの電流の供給を制御するよう、筐体は、ボタン操作スイッチを備えられる。
【００１０】
操作の容易性を与えるよう、第１及び第２のパッドは、筐体から夫々延在する可撓性のリード線によってのみ互いに対して接続される。
本発明の第２の態様は、手の指上で支持されるよう各々構成される別個の指支持パッドと、パッドの少なくとも一方において配置され、且つ、パッドが共に押されて、選択された毛髪の束にわたって摺動される際に熱を加えるよう構成される加熱素子と、を有する毛髪処置装置に属する。
【００１１】
パッドは、指を受けるよう構成されるリング型部材を有する。該リング型部材は、一実施例において、接続装置によってパッドに対して着脱可能に接続され、また、リング型部材が指上に配置され得、その後に指に対するパッドの所望の配置／向きを可能にするようパッドと接続され得るよう構成される。
【００１２】
接続装置は、かぎフック接続装置を有する。該かぎフック装置の第１の半分は、リングに対して留められ、かぎフック装置の第２の半分は、パッドに対して留められる。筐体は、ユーザの手のひらに適合するよう、また、リングのうち少なくとも一方及び手の小指によって掴まれるよう構成される。筐体は、少なくとも一方の加熱素子と動作可能なように接続され、更には、該少なくとも１つの加熱素子に対して電流を供給するよう構成される。筐体は、加熱素子に対する電流の供給を制御するよう構成されるスイッチを有する。本発明の少なくとも１つの実施例において、当該スイッチは、筐体上に与えられるボタンによって操作されるよう構成される。
【００１３】
本発明の更なる態様は、毛髪を処置する方法に属する。当該方法は、第一指及び第二指上で、第１及び第２のパッドが第一指及び第二指を有して夫々可動であるよう、少なくとも一方が配置された加熱素子を有するところの別個のパッドを支持する段階と、第１のパッドと第２のパッドとの間で毛髪を掴み、毛髪に沿って第１及び第２のパッドを摺動させる際に、少なくとも１つの加熱素子に対して電流を選択的に供給する段階と、を有する。この態様は更に、手のひらにおいて、手首上の支持ストラップ上で、あるいはユーザの手の甲上で、少なくとも１つの可撓性のリード線を介して少なくとも１つの加熱素子に対して電流を供給するよう構成される筐体を支持する段階を有する。
【発明を実施するための最良の形態】
【００１４】
本発明の実施例の多種の有利点及び利点は、典型的な実施例の詳細な説明が添付の図面を参照してなされるため、更に明確に理解される。
【００１５】
図１は、本発明の第１の実施例を示す。かかる配置では、毛髪処置装置は、２つの指パッド１００、筐体１０２、及び可撓性の接続ケーブル１０４を有する。この特定に実施例において、筐体１０２は、手の平において容易に保持され得るようポッド型にされ、ＬＥＤ又は同様の種類のオン／オフ／充電中表示灯１０２Ａを備えられる。この光１０２Ａは、筐体の前部上に形成される。筐体１０２は、筐体１０２の前部上にオン／オフボタン１０２Ｂを、並びに、筐体の後部又は後背側部上に充電接続１２０Ｃ（ｃｈａｒｇｅ  ｃｏｎｎｅｃｔｉｏｎ）を有して更に形成される（図２参照）。
【００１６】
パッド１００の各々は、図６中に例示されるように構成され得る。かかる特定の配置において、指パッド１００は、上方筐体部材１０６及び下方筐体部材１０８を有する。図示される通り、下方筐体部材１０８は、アルミニウム加熱板、ＰＴＣ（正の温度係数）セラミック部材１１２、及びアルミニウム裏板を封入／支持し、図示される通りに配置される。即ち、ＰＣＴセラミック部材１１２は、加熱板１１０と裏板１１４との間に挟まれるよう、並びに、ポリカーボネート等である耐熱の耐燃焼性非導電性高分子材料を有して形成される下方筐体部材１０８において３つの部材が封入され得るよう、配置される。
【００１７】
かかる配置を有して、加熱板１１０、ＰＣＴセラミック部材１１２、及び裏板１１４は、組み立てられ、鋳型において設定され得る。下方筐体１０８は、続いて、適切な成型技術を使用して形成され得る。
【００１８】
図６中に示される通り、加熱板１１０の部分１１０Ａは、下方筐体部材１０８を出て延在するよう配置され、導電性ワイヤ（図示せず）との接続を可能にする。電流は、該ワイヤを介して加熱板１１０に対して供給され且つ通り抜ける。
【００１９】
本発明がこの特定の構造に制限されないこと、及び、多種の他のパッド構造が本発明の範囲内であることは、留意されるべきである。
上方部材又は筐体上部１０６は、その上方外側表面において凹部１０６Ａを有して形成され、コネクタ装置１１６の半分の片方１１６Ａが固定される。この実施例では、コネクタ装置１１６は、かぎフックコネクタ（例えば、Ｖｅｌｃｒｏ（登録商標））の形状をとり、適所において置かれ、接着又は固定される。上方部材１０６は、下方筐体部材１０８を受けるよう、また、粘着剤又は接着剤１１７等によってそこに接続されるよう構成される下方凹面又は凹部を有して更に形成される。
【００２０】
指ループ１１８は、コネクタ装置の第２の半分１１６Ｂに対して接続される。図３中に示される通り、凹部１０６ＡＳ及びコネクタの半分１１６Ａ，１１６Ｂは、円形である。これによって、指ループ部材１１８は、所望のユーザの手の指上へと滑らされ得、続いてパッド１００は、ユーザの指に対するパッドの望ましい向きを促進するようにコネクタ１１６の２つの半分を介してループ１１８に対して接続され得る。
【００２１】
図１及び図３乃至図５中に示される本発明の実施例では、指ループ１１８は、柔らかいカバー１１８Ａを有して覆われる。このカバー１１８Ａは、快適性を高め、ずれを防止し、更には上方部材１０６に達し得る温度からユーザの指を隔離する。
【００２２】
加熱板１１０の電力は、バッテリパック又は筐体１０２において配置される同様のものによって与えられる。バッテリパックは、この実施例では充電式である市販の電池（例えば単３電池２個）を受けるよう配置され得る。ボタン１０２Ｂは、スイッチを操作し、バッテリバックと加熱板１１０との間の接続を制御する。
【００２３】
作動時には、ループ１１８は、図２中に示される通り（例えば）指上に置かれ、筐体１０２は、同一の手の平におかれる。続いてパッド１００は、パッドの所望の向きを与えるようループ１１８に対して接続され得る。ボタン１０２Ｂを押すことで、電源が加熱板１１０に対して供給され得、加熱板１１０の温度を上昇させる。板１１０が十分に高温を有するとされた後、続いて毛髪の束は、パッド１００の間で選択的に捕捉され得、パッド１００はユーザによって所望の通り毛髪の束に沿って摺動される。図４中に示される本発明の実施例を有して可能である指（又は２本の指）上のパッド１００の配置によって、ユーザは、加熱されたパッドの位置付け及び効果を巧妙に制御することができる。
【００２４】
一般的に本発明の実施例が、限られた使用可能な電力量及び加熱表面積により前髪及び少ない髪の束の処置に制限される、ことは理解されるべきである。
【００２５】
図５は、支持ストラップ１２０を備えられる本発明の実施例を示す。このストラップ１２０は、指ループ１１８及びパッド１００を接続するよう使用されるものと同様のコネクタ装置を使用して筐体１０２に対して接続され得る。かかる支持ストラップ１２０は、図示される通り手首の内側上又は手の甲上のいずれかにおいて筐体１０２を支持するよう使用され得る。
【００２６】
本発明は限られた数の実施例を参照して記載されているが、本発明が関連するあるいは大部分が密接して関連する当業者が、前述の開示を前提として、添付の請求項によってのみ制限される本発明の範囲から逸脱することなく多種の変形／実施例を想定し得る、ことは理解される。
【００２７】
例えば、本発明の実施例は、パッドの各々において加熱素子を有するよう記載されているが、２つのパッドのうち一方において１つの加熱素子のみを与えること、及びこれを処置されている毛髪に対して熱を与えるよう使用することは、可能である。かかる条件下で、他方のパッドは、電気的に加熱された素子から熱を反射し戻すよう赤外線反射物質を有して作られ得るあるいは被覆され得る断熱板を備えられる。
【００２８】
加えて、パッドの長さ及び形状は、変更され得る。毛髪に接触するパッドの表面は、毛髪と接触する表面積を増大するよう波形にされ得るか、あるいは輪郭を出され（ｃｏｎｔｏｕｒｅｄ）得、及び／又は何らかの所望のスタイリング効果を与えられ得る。あるいは、パッドは、加熱素子の質量を低減し加熱素子が適切な作動温度に達するよう必要な時間を短縮させ得る、ワイヤと置き換えられ得る。
【図面の簡単な説明】
【００２９】
【図１】本発明に従った毛髪矯正装置の一実施例の斜視図である。
【図２】筐体の後方側部上に与えられた充電接続を示す図１に示される実施例の一部を形成するポッド型筐体を図示する。
【図３】本発明の実施例の一部を形成する一組の矯正板又はパッドの斜視図である。
【図４】手持ち操作配置において示される本発明の一実施例の斜視図である。
【図５】ポッド型筐体が手首又は手の甲上で支持され得るよう支持ストラップを有するよう構成される本発明の一実施例の斜視図である。
【図６】図１及び図２中の示される実施例において使用され得るパッドの一例の断面図である。
【図１】
2008504853.tif 000003
【図２】
2008504853.tif 000004
【図３】
2008504853.tif 000005
【図４】
2008504853.tif 000006
【図５】
2008504853.tif 000007
【図６】
2008504853.tif 000008
【国際調査報告】
2008504853.tif 000009
2008504853.tif 000010
2008504853.tif 000011
2008504853.tif 000012
2008504853.tif 000013